(57)【要約】【課題】  接着テープを小型装飾物から容易に取り外すことができるとともに、小型装飾物の破損を防止できるような装飾具を提供する【解決手段】  支持部材２と、前記支持部材２の先端に固定される小型装飾物３とを有する装飾具１であって、支持部材２と小型装飾物３とは、支持部材２及び小型装飾物３にまたがって接着テープ４を巻きつけることで固定され、支持部材２と小型装飾物３が固定された状態において、小型装飾物３と、当該小型装飾物３に接着している接着テープ４の接着面との間に微小な間隙５を設ける。【選択図】図１
0003110345.tif 000002
【実用新案登録請求の範囲】
【請求項１】
支持部材と、
前記支持部材の先端に固定される小型装飾物とを有する装飾具であって、
支持部材と小型装飾物とは、支持部材及び小型装飾物にまたがって接着テープを巻きつけることで固定され、
支持部材と小型装飾物が固定された状態において、小型装飾物と、当該小型装飾物に接着している接着テープの接着面との間に微小な間隙が設けられることを特徴とする装飾具。
【考案の詳細な説明】
【技術分野】
【０００１】  本考案は、花束やアレンジメントに用いられる装飾具に関するものである。
【背景技術】
【０００２】  従来から、プレゼントやインテリア等には花束やアレンジメントが利用されている。この花束やアレンジメントには小物や菓子等の小型装飾物を有する装飾具が用いられている。たとえば、このような装飾具としては、支持部材に小型装飾物を接着テープで取り付けて形成したものが知られている。
【考案の開示】
【考案が解決しようとする課題】
【０００３】  上述のような装飾具では、小型装飾物に接着テープが張り付くため、接着テープを素早く剥がすことが困難であるという問題が生じていた。【０００４】  また、小型装飾物から接着テープを剥がす際に、小型装飾物を破損するおそれもあった。たとえば、小型装飾物としてキャンディーなどを用いる場合には、キャンディーの包装紙に接着テープが張り付いているため、接着テープを剥がそうとすると、この包装紙が破れてしまうおそれがあった。【０００５】  さらに、小型装飾物から接着テープを剥がすとき、小型装飾物に付いた接着テープの粘着物質が指に付き、指が汚れてしまうという問題が生じるとともに、小型装飾物に残った粘着物質により、美観が損なわれるという問題も生じていた。【０００６】  そこで、本考案は、上記した従来技術の有する問題点に鑑みてなされたものであり、接着テープを小型装飾物から容易に取り外すことができるとともに、小型装飾物の破損を防止できるような装飾具を提供することを目的とする。
【課題を解決するための手段】
【０００７】  本考案は、支持部材２と、前記支持部材２の先端に固定される小型装飾物３とを有する装飾具１であって、支持部材２と小型装飾物３とは、支持部材２及び小型装飾物３にまたがって接着テープ４を巻きつけることで固定され、支持部材２と小型装飾物３が固定された状態において、小型装飾物３と、当該小型装飾物３に接着している接着テープ４の接着面との間に微小な間隙５が設けられることを特徴とする。【０００８】  「支持部材２」とは、アレンジメントで用いられる部材であって、針金や樹脂等によって形成された細長棒状のものである。支持部材２は、前記小型装飾物３を固定して支持するものであれば、特に限定されるものではない。ただし、支持部材２は安定した支持をすべく、該小型装飾物３の重量に対応した強度を有する部材を使用することが望ましい。また、美観を損ねることのないよう、該小型装飾物３の大きさに対応した部材を使用することが望ましい。【０００９】  「小型装飾物３」とは、前記装飾具１における飾り付け用の部材であり、上述の如く、前記支持部材２の先端に固定されるものである。小型装飾物３としては、前記支持部材２に固定して飾り付けられるものであれば、特に限定されるものではない。たとえば、包装紙によって包装されたチョコレートや飴玉のような小型の菓子等が挙げられる。また、前記支持部材２に固定される小型装飾物３の数も特に限定されるものではなく、１個の小型装飾物３を固定してもよく、又は、複数の小型装飾物３を固定してもよい。【００１０】  「接着テープ４」とは、上述の如く、支持部材２と小型装飾物３とを固定するための部材である。接着テープ４は、支持部材２と小型装飾物３とに巻きついて固定することができれば、特に限定されるものではない。
「間隙５」とは、支持部材２の先端に小型装飾物３を接着テープ４で固定した際に、小型装飾物３と接着テープ４とが密接しないように形成された空間を意味する。この間隙５は、小型装飾物３と、当該小型装飾物３に接着している接着テープ４の接着面との間において、複数箇所、設けるのが望ましいが、支持部材２と小型装飾物３との接着固定が、ほとんど力を加えることなく取れてしまうことのない程度とする必要がある。
【考案の効果】
【００１１】  本考案は、以下に記載するような効果を奏する。
すなわち、本考案は、接着テープを小型装飾物から容易に取り外すことができるとともに、小型装飾物の破損を防止できるような装飾具を提供することができる。【００１２】  具体的には、小型装飾物と接着テープとの接着面積が従来の装飾具より小さくなるため、小型装飾物から接着テープを容易に剥がすことができる。
また、小型装飾物から接着テープを剥がしたとき、小型装飾物に残った接着テープの粘着物質が少ないので、接着テープの粘着物質により指が汚れるのを防止することができるとともに、美観が損なわれるのを防止することもできる。
【考案を実施するための最良の形態】
【００１３】  以下、図面を参照しつつ、本考案の実施の形態を説明する。
図１は、本考案の実施の形態に係る装飾具１を示す正面図である。図２は、本考案の実施の形態に係る装飾具１を示す拡大断面図である。図３は、本考案の実施の形態に係る装飾具１の製造方法を説明するための拡大正面図である。図４は、本考案の実施の形態に係る装飾具１の、図３の後の製造工程を説明するための拡大正面図である。図５は、本考案の実施の形態に係る装飾具１の、図４の後の製造工程を説明するための拡大正面図である。【００１４】  本実施の形態に係る装飾具１は、図１に示すように、支持部材２と、小型装飾物３としての飴玉６と、接着テープ４とを備えている。支持部材２は、樹脂を棒状に成形した部材である。この飴玉６は、包装紙８により包装されている。
また、支持部材２と飴玉６とは、この支持部材２と飴玉６とをまたがるように接着テープ４が巻きつけられて固定される。また、図２に示すように、飴玉６を包む包装紙８と接着テープ４との間には間隙５が複数形成されている。【００１５】  以下、前記装飾具１の製造方法を説明する。前記飴玉６と前記支持部材２の先端部とを、固定したい位置で密着させる。そして、図３に示すように、前記支持部材２及び前記飴玉６の、前記接着テープ４を巻きつける位置に、紐部材７（たとえば、曲げやすい針金など）を巻きつける。そして、図４に示すように、前記紐部材７の上から前記接着テープ４を巻きつける。その後、紐部材７を引き抜くことにより、図５に示すように、前記間隙５を有する装飾具１が形成される。
【図面の簡単な説明】
【００１６】
【図１】本考案の実施の形態に係る装飾具を示す正面図である。
【図２】本考案の実施の形態に係る装飾具を示す拡大断面図である。
【図３】本考案の実施形態に係る装飾具の製造方法を説明するための拡大正面図である。
【図４】本考案の実施形態に係る装飾具の、図３の後の製造工程を説明するための拡大正面図である。
【図５】本考案の実施形態に係る装飾具の、図４の後の製造工程を説明するための拡大正面図である。
【符号の説明】
【００１７】１  装飾具            ２  支持部材
３  小型装飾物        ４  接着テープ
５  間隙              ６  飴玉
７  紐部材            ８  包装紙
【図１】
0003110345.tif 000003
【図２】
0003110345.tif 000004
【図３】
0003110345.tif 000005
【図４】
0003110345.tif 000006
【図５】
0003110345.tif 000007